【事件の表示】
　平成　７年特許願第　１９９９０号「ＴＯＣ情報読み取り方法及びディスクシステム」拒絶査定不服審判事件〔平成　８年　８月２０日出願公開、特開平　８−２１２７５９〕について、次のとおり審決する。
【結　論】
　本件審判の請求は、成り立たない。
【理　由】
　
１．手続の経緯・本願発明
　本件審判の請求に係る出願（以下、「本願」という。）は、平成７年２月８日の特許出願であって、その請求項１、２に係る発明は、平成18年３月22日付けの手続補正書により補正された明細書の請求項１、２に記載されたとおりのものと認められるところ、その請求項１の記載は次のとおりである。
　
「【請求項１】
　ディスク最内周リードインエリアの各クラスタのセクタ０〜セクタ３に同じ内容のTOC情報が記録されたディスクから、TOC情報を読み取りメモリに格納するTOC情報読み取り方法において、
　サーボをオンする前に光ピックアップをディスク最内周リードインエリアに移動しておき、
　各種サーボをオンしてディスクのセクタナンバを読み取ってセクタ０と一致するか判別し、一致しなければ一致するまで待ち、
　セクタ０と一致したところからセクタ３まで記録情報の読み取りとメモリへの格納を行うようにしたこと、
　を特徴とするTOC情報読み取り方法。」
（以下、「本願発明」という。）
　
２．引用例
　
（１）引用例１
　一方、当審において平成18年１月10日付けで通知した拒絶の理由において引用された本願出願前に頒布された刊行物である特開平5-135375号公報（以下、「引用例１」という。）には、図面とともに次の技術事項が記載されている（なお、下線は、当審で付与した。）。
(i)「〔産業上の利用分野〕
　本発明はディスクセット時のTOC情報読み取り方法に係り、特にコンパクトディスクと
ミニディスクの
ディスクセット時のTOC情報読み取り方法に関する。
(ii)「〔発明が解決しようとする課題〕
　ところで、CDプレーヤやミニディスクシステムなどのように、コンパクトディスクと
ミニディスク
を対象としたシステムでは、ディスクのTOCエリアの位置が一義的に定まっているので、光ピックアップがTOCエリアに来たことを検出する検出器をシステムに設置しておき、ディスクセット時に検出器の出力を監視しながら光ピックアップをディスクの内周方向へ移動し、検出出力があったところで光ピツアップの移動を止め、サーボ系をオンすればそのままTOC情報の読み取りを行うことができる。
(iii)「〔作用〕
　本発明の１つによれば、システムからディスクが取り出される前に、光ピックアップをコンパクトディスクにおけるTOCエリアからミニディスクにおけるリードアウトまでの範囲内で任意の所定位置に待機させておき、システムに新たにディスクがセットされたとき、サーボ系をオンして位置情報の読み取りを行い、現在、光ピックアップがTOCエリアに存在するか判別し、
TOCエリアに存在しているときはそのままTOC情報の読み取りを行い、TOCエリアに存在していないときは、ディスクから読み出した位置情報を監視しながらTOCエリアをサーチしたのちTOC情報の読み取りを行う。
　また、本発明の他の１つによれば、
システムからディスクが取り出される前に、光ピックアップを待機させておく前記所定位置は、コンパクトディスクのTOCエリアに相当する位置とする。
(iv)「これと反対に、ステップ202で
ミニディスクMDと判別されたとき、
TOCエリアの所に位置していなければ、ATIPデータを監視しながらTOCサーチ制御を行い、TOCエリアに対応する絶対時間の所でサーチを止め、再生モードにして、EFM／CIRCデコーダ16から出力されるサブコードデータによりTOC情報を読み取り、内部メモリに登録する（ステップ208〜210、206）。
　
　上記摘記事項及び図面の記載を参酌すると、引用例１には、次の発明が記載されているものと認める。
　
「ディスク内周のTOCエリアにTOC情報が記録されたディスクから、TOC情報を内部メモリに登録するディスクセット時のTOC情報読み取り方法において、
　システムからディスクが取り出される前に、光ピックアップをコンパクトディスクにおけるTOCエリアに待機させておき、
　システムにディスクがセットされたとき、サーボ系をオンして位置情報の読み取りを行い、現在、光ピックアップがTOCエリアに存在するか判別し、TOCエリアに存在しているときはそのままTOC情報の読み取りを行い、内部メモリに登録し、TOCエリアに存在していないときは、ディスクから読み出した位置情報を監視しながらTOCエリアをサーチした後サーボ系をオンしてTOC情報の読み取りを行い、内部メモリに登録する
　TOC情報読み取り方法。」　
　
（２）引用例２
　同じく引用された特開平6-195945号公報（以下、「引用例２」という。）には、ミニディスクの再生方法に関し、図面とともに次の技術事項が記載されている。
(i)「〔産業上の利用分野〕
　本発明はミニディスク（MD）、コンパクトディスク（CD）等のディスク演奏方法に係り、特にTOCエリアに記録されたアドレス情報を用いて所望曲の選曲演奏を行うディスク演奏方法に関する。」（段落［0001］）
(ii)「コンパクトディスクではリードインのＱチャネルサブコードにTOC情報が記録されている。このTOC情報は、曲別（トラックナンバー別）にディスク上の演奏開始位置情報（演奏開始時間）を記録したもので、所望曲を選曲演奏する際、プログラムエリアのＱチャンネルサブコードに記録された絶対時間が所望曲の演奏開始時間となっている箇所をサーチし、サーチ完了後、演奏を開始することで、短時間で所望曲の演奏を可能するために利用される。
　ミニディスクでもコンパクトディスクの場合と同様に、再生専用ディスクではリードインのTOCエリア、録再兼用用ディスク（MD-MO）ではプログラムエリアの最初の部分に設けられたUTOCエリア（ユーザTOCエリア）に曲別のスタートアドレスとエンドアドレスから成る位置情報が記録されており、所望曲を選曲演奏する際、再生専用ディスクではプログラムエリアのサブデータに記録されたアドレス、録再兼用ディスクではプリグルーブに記録されたアドレスが所望曲のスタートアドレスとなっている箇所をサーチし、サーチ完了後、演奏を開始することで、短時間で所望曲の演奏が可能になっている。」（段落［0004］〜［0005］）
(iii)「またシステムコントローラ17は、操作部16で所望曲の選曲演奏が指示されたとき、
再生専用ミニディスクの場合は光ピックアップ３をリードインに移動させ（図2(1)参照）、TOCエリア（リードインのセクタ（０））に記録された所望曲のアドレス情報とトラックモード情報を読み出し（図３参照）
　・・・（中略）・・・
　図３に再生専用ミニディスクのTOCエリアに記録されたデータの一部を示す。左の数字は４バイト単位のデータ位置であり、連続する２つのデータ位置の３バイトずつを使って曲別のスタートアドレスとエンドアドレスが最大で255曲分記録されており、スタートアドレスの記録されたデータ位置の残りの１バイトに当該曲のトラックモード情報が記録されている。P-TOCｎ（ｎ＝１〜255）は、TOCエリアにおける曲番ｎ（TNOｎ）のスタートアドレスの先頭の１バイト分が格納されたバイト位置を示すポインタである。
　図４〜図７はシステムコントローラ１７の制御動作を示す流れ図、図８は演奏動作の説明図であり、以下、これらの図に従って説明する。
　なお、ここでは
再生専用ミニディスクがセットに装填されているものとする。
電源オンで、システムコントローラ17はサーボを立ち上げ、光ピックアップ３をディスクのリードインに存在するTOCエリアに移動し、光ピックアップ３、RFアンプ５、ディジタル信号処理回路８をしてディスクに記録されている曲数Ｍを読み出させ、ワークメモリ18に記憶する（ステップ101）。
　
３．対　比
　本願発明と引用例１に記載された発明とを対比する。
　引用例１に記載された発明における「ディスク内周のTOCエリア」とは、本願発明における「ディスク最内周リードインエリア」のことである。
　引用例１に記載された発明における「内部メモリ」は、本願発明における「読取りメモリ」に相当する。
　そうすると、本願発明と引用例１に記載された発明とは次の点で一致する。
 一致点
　ディスク最内周リードインエリアにTOC情報が記録されたディスクから、TOC情報を読み取りメモリに格納するTOC情報読み取り方法において、
　サーボをオンする前に光ピックアップをディスク最内周リードインエリアに移動しておき、
　各種サーボをオンして（ディスク最内周リードインエリアの）記録情報の読み取りとメモリへの格納を行うようにした
　TOC情報読み取り方法。
　
そして、次の各点で相違する。
 相違点
(a) 本願発明においては、ディスク最内周リードインエリアの各クラスタのセクタ０〜セクタ３に同じ内容のTOC情報が記録されるものであるのに対し、引用例１に記載された発明においてはこのことについて特に示されていない点（以下、「相違点ａ」という。）。
(b) TOC情報の読み取りに関し、本願発明においては、各種サーボをオンした状態で、ディスクのセクタナンバを読み取ってセクタ０と一致するか判別し、一致しなければ一致するまで待ち、セクタ０と一致したところからセクタ３まで記録情報を読み取るものであるのに対し、引用例１に記載された発明においてはこのことについて特に示されていない点（以下、「相違点ｂ」という。）。
　
４．当審の判断
　そこで、上記各相違点について検討する。
　
（相違点ａについて）
　ミニディスク等のディスクにおいて、データがセクタ単位で記録され、所定数のセクタで１クラスタが構成されること、TOC情報がディスク最内周のリードインエリアに繰り返し記録されることは本願出願前にごく周知の技術である。
　また、引用例２には、ミニディスク最内周のリードインエリアのセクタ０にTOC情報が記録されることが記載されている（なお、ミニディスク最内周のTOC領域のセクタ０を含む所定数のセクタにTOC情報を記録することは、本願出願前に特開平6-259937号公報（特に、段落［0030］〜［0033］を参照。）にもみられるところである。）。
　してみると、引用例１に記載された発明においても、ディスク最内周リードインエリアの各クラスタのセクタ０を含む複数のセクタ（セクタ０〜セクタ３）に同じ内容のTOC情報を記録することは当業者が適宜容易になし得た事項といえる。
　
（相違点ｂについて）
　引用例１に記載された発明は、光ピックアップをディスク最内周のリードインエリアに移動しておき、システムにディスクをセットしたとき、サーボ系をオンした状態で位置情報の読み取りを行い、現在、光ピックアップがTOCエリアに存在するか判別し、TOCエリアに存在しているときはそのままTOC情報の読み取りを行い、内部メモリに登録し、TOCエリアに存在していないときは、ディスクから読み出した位置情報を監視しながらTOCエリアをサーチした後TOC情報の読み取りを行い、内部メモリに登録するものである。
　また、光ピックアップがディスク最内周リードインエリア（TOCエリア）に位置しているときは、各クラスタのセクタ０に位置していればその位置からTOC情報は読み取り可能であり、セクタ０に位置していなければ直ちにTOC情報を読み取ることはできないが、その位置で待機していれば、ディスクの回転に伴い、やがて光ピックアップは（次の）クラスタのセクタ０に位置することになりTOC情報が読取り可能となることは自明乃至は当然のことである。
　してみれば、引用例１に記載された発明においても、光ピックアップがTOCエリアにあるとき、TOC情報をサーチしてTOC情報を読み取ることに替えて、サーボ系をオンしてセクタ番号を読み取り、単に、セクタ０と一致していなければ（次の）セクタ０が来るまで待機し、セクタ０に一致すればセクタ０を含む複数のセクタ（セクタ０〜セクタ３）までTOC情報を読み取るようにする程度のことは当業者が容易に想到できたものというべきである。
　
　そして、上記各相違点についての判断を総合しても、本願発明の効果は各引用例から当業者が十分に予測可能なものであって、格別のものとはいえない。
　
　なお、請求人は、意見書中で、「本願発明では、クラスタあるいはトラック方向に関して位置決めせず、セクタ方向に関してのみ位置決めし、すなわち、ピックアップをセクタ０に位置決め」する旨も主張しているが、請求項１には、単に「セクタ０と一致するか判別し」とあるだけで、上記「トラック方向」、「セクタ方向」については何ら示されていない。従来のものにおいてもトラックジャンプさせる必要がないときには、TOC情報を読み取るためには光ピックアップをその位置で待機させていれば十分であり、本願発明においてトラックジャンプ方向の位置決めを要しない場合には、その限りでは、従来のものと何ら変わりがないものと解されるので、請求人の上記主張は採用できない。
　
５．むすび
　以上のとおり、本願の請求項１に係る発明は、引用例１、及び、引用例２に記載された発明に基づいて当業者が容易に発明をすることができたものであるから、特許法第29条第２項の規定により特許を受けることができない。
　したがって、本願は、その余の請求項について論及するまでもなく、拒絶すべきものである。
　
　よって、結論のとおり審決する。